(57)【要約】【課題】  実験小動物を始めとする哺乳類の細胞、筋肉等の生体組織、あるいは、心臓、肝臓等の各種臓器を生きたままの状態で、比較的長期間にわたって観察することを可能とする。【解決手段】  光源と、光源からの光を伝播する光ファイバ１８と、伝播されてきた光を平行光にするコリメート光学系２３および平行光を２次元的に走査させる光走査手段２４を収容する装置本体１１と、装置本体１１に着脱可能に取り付けられ、光走査手段２４により走査された光を被検体Ａの観察対象部位に集光する対物ユニット１２と、被検体Ａからの戻り光を検出する光検出器とを備え、対物ユニット１２が、被検体Ａ内に挿入可能な先端部を有するとともに、対物ユニット１２の装置本体１１への着脱機構３５が、着脱時に、対物ユニット１２の装置本体１１に対する長手軸回りの相対回転を禁止する回り止め３６を備える光走査型観察装置を提供する。【選択図】    図２
2006038939.tif 000002
【特許請求の範囲】
【請求項１】
光源と、
該光源からの光を伝播する光ファイバと、
該光ファイバにより伝播されてきた光を平行光にするコリメート光学系および該コリメート光学系から出射された平行光を２次元的に走査させる光走査手段を収容する装置本体と、
該装置本体に着脱可能に取り付けられ、光走査手段により走査された光を被検体の観察対象部位に集光する対物ユニットと、
該対物ユニット、装置本体および光ファイバを介して戻る戻り光を検出する光検出器とを備え、
該対物ユニットが、被検体内に挿入可能な先端部を有するとともに、
前記対物ユニットの前記装置本体への着脱機構が、着脱時に、対物ユニットの装置本体に対する長手軸回りの相対回転を禁止する回り止めを備える光走査型観察装置。
【請求項２】
前記着脱機構が、装置本体または対物ユニットのいずれか一方に前記長手軸回りに回転自在に保持される第１のネジと、装置本体または対物ユニットの他方に設けられ前記第１のネジに締結される第２のネジとを備える請求項１に記載の光走査型観察装置。
【請求項３】
前記第１のネジが装置本体に保持されている請求項２に記載の光走査型観察装置。
【請求項４】
前記装置本体に、前記光走査手段により走査された光の中間像を結像させる瞳投影光学系が備えられ、
前記装置本体および前記対物ユニットに、相互に結合されたときに突き当たる突当面が設けられるとともに、
該突当面の光軸方向位置が、前記中間像の光軸方向位置に略一致する位置に配置されている請求項１から請求項３のいずれかに記載の光走査型観察装置。
【請求項５】
前記装置本体への前記対物ユニットの取付状態において一致させられるマークが、装置本体および対物ユニットに設けられている請求項１から請求項４のいずれかに記載の光走査型観察装置。
【発明の詳細な説明】
【技術分野】
【０００１】
この発明は、光走査型観察装置に関するものである。
【背景技術】
【０００２】
従来、生体等の試料にその表面から励起光を照射して、試料の所定の深さ位置から発せられる蛍光を選択的に検出することにより、細胞の機能等を観察する装置として、レーザ走査型共焦点顕微鏡が知られている（例えば、特許文献１、２参照）。
このレーザ走査型共焦点蛍光顕微鏡は、顕微鏡の一般的な観察に加えて試料の微小スポット領域に集光させたレーザ光をガルバノミラーなどの走査手段によって走査し、試料から発せられる蛍光を検出し画像を得るものである。
このレーザ走査型共焦点顕微鏡は、解像力に優れ、観察する微小スポット以外の光を除去できるので、高いＳ／Ｎ比で鮮明な観察画像を得ることができるという利点を備えている。
【特許文献１】特開平３−８７８０４号公報（第２頁等）
【特許文献２】特開平５−７２４８１号公報（図１等）
【発明の開示】
【発明が解決しようとする課題】
【０００３】
しかしながら、従来のレーザ走査型共焦点顕微鏡を始めとする顕微鏡は、ラットやマウス等の実験小動物の各種臓器を生きたままの状態（in vivo）で観察することについては想定していない。すなわち、これら実験小動物の各種臓器を観察するには、表皮や筋肉組織を切開し、あるいは、頭蓋骨に穿孔して内部の臓器を露出させる必要があるが、観察部位に近接配置される対物レンズのサイズが実験小動物に比較して大きいために、内部の臓器を観察する場合には、表皮や筋肉組織等を大きく切開し、あるいは、大きな孔を開ける必要がある。
【０００４】
この場合、組織の切開直後あるいは穿孔直後における観察は可能であるものの、実験小動物に大きなダメージを与えてしまうため、長期間にわたる経時的な観察は困難である。観察後縫合し、次の観察時に再度切開する方法も考えられるが、実験小動物に与えるダメージを考えると、時間が経過するにつれて正常な状態での観察は困難になるという不都合がある。
【０００５】
本発明は、上述した事情に鑑みてなされたものであって、実験小動物を始めとする哺乳類の細胞、筋肉等の生体組織、あるいは、心臓、肝臓等の各種臓器を生きたままの状態で、比較的長期間にわたって観察することを可能とする光走査型観察装置を提供することを目的としている。
【課題を解決するための手段】
【０００６】
上記目的を達成するために、本発明は、以下の手段を提供する。
本発明は、光源と、該光源からの光を伝播する光ファイバと、該光ファイバにより伝播されてきた光を平行光にするコリメート光学系および該コリメート光学系から出射された平行光を２次元的に走査させる光走査手段を収容する装置本体と、該装置本体に着脱可能に取り付けられ、光走査手段により走査された光を観察対象部位に集光する対物ユニットと、該対物ユニット、装置本体および光ファイバを介して戻る戻り光を検出する光検出器とを備え、該対物ユニットが、被検体内に挿入可能な先端部を有するとともに、前記対物ユニットの前記装置本体への着脱機構が、着脱時に、対物ユニットの装置本体に対する長手軸回りの相対回転を禁止する回り止めを備える光走査型観察装置を提供する。
【０００７】
本発明によれば、光源から発せられた光が光ファイバ内を伝播して装置本体に入射されると、装置本体内に配置されているコリメート光学系により平行光に変換され、光走査手段によって２次元的に走査されつつ対物ユニットによって観察対象部位に集光される。対物ユニットは生体に挿入可能な先端部を有しているので、先端部を生体に設けた切開部または体腔に挿入して生体内部に配置されている観察対象部位に２次元的に走査された光を照射する。観察対象部位からの戻り光は、対物ユニット、装置本体および光ファイバを介して戻り、光検出器によって検出されることになる。
【０００８】
この場合において、本発明に係る光走査型観察装置は、装置本体に対して対物ユニットが着脱可能に取り付けられるので、着脱機構の作動によって、装置本体と対物ユニットを切り離すことにより、対物ユニットを生体に対して挿入状態に留置することができる。これにより、生体の同一観察対象部位を時間をおいて複数回観察する場合に、観察対象部位に対して対物ユニットをずらすことなく観察できる。
【０００９】
観察対象部位に対して対物ユニットをずらす必要がないので、同一位置を観察し続けることができるとともに、対物ユニットのみを生体に挿入状態に残すので、生体に与える負担を低減して、平静な観察状態を保つことができる。また、生体に対して対物ユニットを移動させないことによっても、生体に与える損傷を低減して、長期間にわたる生きたままの観察が可能となる。
【００１０】
また、本発明によれば、着脱機構が、着脱時に、対物ユニットの装置本体に対する長手軸回りの相対回転を禁止する回り止めを備えるので、回り止めの作動により、対物ユニットと装置本体とを着脱時に相対回転させることが防止される。その結果、対物ユニットの先端部を生体に挿入した状態で、装置本体を切り離す場合に、対物ユニットの先端部を生体に対して相対移動させることなく装置本体を取り外すことができる。また、生体に挿入状態に留置されていた対物ユニットに対して装置本体を取り付ける場合においても同様に、対物ユニットの先端部を生体に対して相対移動させることなく装置本体を取り付けることができる。
【００１１】
上記発明においては、前記着脱機構が、装置本体または対物ユニットのいずれか一方に前記長手軸回りに回転自在に保持される第１のネジと、装置本体または対物ユニットの他方に設けられ前記第１のネジに締結される第２のネジとを備えることが好ましい。
装置本体に対して対物ユニットを長手軸方向に挿入し、第１のネジと第２のネジとが係合した状態で、第１のネジを長手軸回りに回転させることにより、第１のネジと第２のネジとが締結されていく。このとき、対物ユニットと装置本体とは回り止めにより相対回転が禁止されているので、第１のネジの回転とともに両者が長手軸方向に近接させられていくことになる。第１のネジは、装置本体または対物ユニットのいずれか一方に回転自在に保持されているので、簡易な構成により、対物ユニットと装置本体とを相対回転させることなく着脱することができる。
【００１２】
上記発明においては、前記第１のネジが装置本体に保持されていることが好ましい。
第１のネジを装置本体に回転自在に取り付けておくことにより、交換可能な複数の対物ユニットを用意する場合に、部品点数を少なくすることができるという利点がある。
【００１３】
また、上記発明においては、前記装置本体に、前記光走査手段により走査された光の中間像を結像させる瞳投影光学系が備えられ、前記装置本体および前記対物ユニットに、相互に結合されたときに突き当たる突当面が設けられるとともに、該突当面の光軸方向位置が、前記中間像の光軸方向位置に略一致する位置に配置されていることが好ましい。
このように構成することで、装置本体に対して対物ユニットを結合したときの位置や傾きなどの誤差に対する影響を小さくすることができる。
【００１４】
また、上記発明においては、前記装置本体への前記対物ユニットの取付状態において一致させられるマークが、装置本体および対物ユニットに設けられていることとしてもよい。マークを手がかりに対物ユニットに対する装置本体の位相を容易に認識することができる。したがって、生体に留置されている状態の対物ユニットに対して装置本体の位相を容易に一致させ、簡易に観察可能状態にすることができる。
【発明の効果】
【００１５】
本発明によれば、装置本体から対物ユニットを切り離して生体に挿入状態に留置することで、生体の同一観察対象部位を時間をおいて複数回観察する場合に、観察対象部位に対して対物ユニットをずらすことなく観察できる。また、生体に留置されている対物ユニットに装置本体を取り付ける際に、対物ユニットを回転させる必要がなく、生体に与える負担を軽減することができる。したがって、実験小動物を始めとする哺乳類の細胞、筋肉等の生体組織、あるいは、心臓、肝臓等の各種臓器を生きたままの状態で、比較的長期間にわたって観察することができるという効果を奏する。
【発明を実施するための最良の形態】
【００１６】
以下、本発明の一実施形態に係る光走査型観察装置１について、図１〜図３を参照して説明する。
本実施形態に係る光走査型観察装置１は、例えば、図１に示される観察システム２において使用される。この観察システム２は、図１に示されるように、実験小動物等の被検体Ａを載置するステージ３と、該ステージ３の上方に配置される本実施形態に係る光走査型観察装置１と、さらにその上方とに配置される実体顕微鏡装置４とを備えている。
【００１７】
実体顕微鏡装置４は、ステージ３を備えるベース５から立ち上がる支柱６に、上下方向に移動可能に設けられ、被検体Ａを比較的小さな倍率で観察するための接眼部７およびＣＣＤカメラ８を備えている。ＣＣＤカメラ８は、ケーブル９によって第１のモニタ１０に接続され、撮像された画像を第１のモニタ１０において観察することができるようになっている。
【００１８】
本実施形態に係る光走査型観察装置１は、図１に示されるように、装置本体１１と、該装置本体１１に結合される対物ユニット１２と、装置本体１１に接続される光源１３、光検出器１４、制御装置１５および第２のモニタ１６を備えている。
光源１３は、例えば、レーザ光源である。光検出器１４は、例えば、光電子増倍管(ＰＭＴ：Photomultiplier Tube)である。
【００１９】
装置本体１１も、ベース５から立ち上がる支柱１７に上下方向に移動可能および任意の角度方向に傾斜可能に設けられている。装置本体１１と光源１３とは光ファイバ（光伝達部材）１８により接続されている。また、装置本体１１と制御装置１５、光検出器１４と制御装置１５とはそれぞれケーブル１９，２０によって接続されている。第２のモニタ１６には、制御装置１５内において画像処理を加えられた画像が表示されるようになっている。
【００２０】
前記装置本体１１は、図２に示されるように、光ファイバ１８の一端に取り付けられる筐体２１内に、前記光ファイバ１８の一端を固定するフェルール２２と、光ファイバ１８の端面１８ａから発せられた光を平行光にするコリメート光学系２３と、該コリメート光学系２３から発せられた光を２次元的に走査する光走査部２４と、該光走査部２４により走査された光を集光して中間像を結像する瞳投影光学系２５とを備えている。
【００２１】
また、装置本体１１には、瞳投影光学系２５を収容する円筒部２６の外周面に形成された鍔部２６ａにより、脱落不可に取り付けられるとともに、該円筒部２６の軸心回りに回転自在に保持されたナット２７が設けられている。また、円筒部２６の外周面には長手方向に沿ってキー溝２８が形成されている。円筒部２６の先端面は、後述する対物ユニット１２が結合されたときに突き当たる突当面２９となっている。また、瞳投影光学系２５による中間像の位置は、前記突当面２９の位置に概略一致している。
【００２２】
一方、対物ユニット１２は、外筒３０内に対物レンズ（図示略）を収容してなり、外筒３０の一端には、前記円筒部２６を嵌合させる嵌合穴３１と、前記ナット２７が締結されるネジ部３２とを有している。前記嵌合穴３１の奥部には、前記ナット２７がネジ部３２に締結されていくことにより、前記円筒部２６先端の突当面２９を突き当てる突当面３３が設けられている。また、嵌合穴３１の内面には、図３に示されるように、円筒部２６に設けたキー溝２８に係合可能なキー部材３４が配置されている。
【００２３】
上記装置本体１１のナット２７、キー溝２８、対物ユニット１２のネジ部３２およびキー部材３４により、対物ユニット１２を装置本体１１に着脱可能に取り付ける着脱機構３５が構成されている。また、キー溝２８とキー部材３４とにより、装置本体１１に対して対物ユニット１２が相対的に回転することを防止する回り止め３６が構成されている。
【００２４】
このように構成された本実施形態に係る光走査型観察装置１の作用について以下に説明する。
上述した観察システム２によって被検体Ａを観察するには、まず、マウスやラット、を初めとする実験小動物等の被検体Ａをステージ３に固定し、その上方に配置した実体顕微鏡装置４を用いて観察対象部位の画像を第１のモニタ１０に表示しながら、表皮を切開し、内部組織を露出させる。このとき、光走査型観察装置１の装置本体１１は実体顕微鏡装置４の視野内から待避した位置に配置されている。
【００２５】
また、光走査型観察装置１においては、所望の観察倍率を達成するのに適した対物ユニット１２を装置本体１１に取り付けておく。対物ユニット１２と装置本体１１とは、図示しないＯリング等により、水分が内部に入らないように密封される。
そして、準備ができた時点で、光走査型観察装置１の装置本体１１を実体顕微鏡装置４と被検体Ａとの間に挿入する。
【００２６】
光源１３から出射されたレーザ光は、ダイクロイックミラー３７を透過して光ファイバ１８内に入射され、光ファイバ１８内を伝播してフェルール２２により固定された端面１８ａから装置本体１１の筐体２１内に出射される。装置本体１１内においては、光ファイバ１８の端面１８ａから発せられたレーザ光がコリメート光学系２３によって平行光に変換され、光走査部２４により２次元的に走査された後に、瞳投影光学系２５により中間像を形成して対物ユニット１２内に入射される。対物ユニット１２を通過したレーザ光は、被検体Ａに焦点を結び、予め被検体Ａ内に注入された蛍光物質、あるいは、自家蛍光物質を励起して蛍光を発生させる。
【００２７】
被検体Ａにおいて発生した蛍光は、対物ユニット１２、瞳投影光学系２５、光走査部２４、コリメート光学系２３、光ファイバ１８を介して、レーザ光と同じ経路を戻り、ダイクロイックミラー３７によって分離されて光検出器１４により検出される。この場合において、装置本体１１に固定された光ファイバ１８の端面１８ａ位置、瞳投影光学系２５による中間像位置および対物ユニット１２による焦点位置が互いに共役な位置関係に配置されるので、光ファイバ１８の端面１８ａが共焦点ピンホールとして機能することによって、被検体Ａにおける焦点位置近傍からの蛍光のみが光検出器１４に検出されることになる。
【００２８】
本実施形態に係る光走査型観察装置１によれば、上記観察時に被検体Ａの観察対象部位を一旦特定した後に、再度、時間をおいて同一観察対象部位を観察する場合に、着脱機構３５のナット２７を緩めることにより、対物ユニット１２から装置本体１１を分離して、対物ユニット１２を被検体Ａに装着状態に留置することができる。すなわち、観察時以外の時間は、被検体Ａには比較的重い装置本体１１を装着することなく、比較的軽い対物ユニット１２が装着されるのみであるので、被検体Ａにかかる負担が低減される。
【００２９】
装置本体１１から対物ユニット１２を分離するときに、ナット２７が装置本体１１に対して回転自在に取り付けられているとともに、回り止め３６の作用によって、対物ユニット１２が装置本体１１に対して相対的に回転することがない。したがって、観察対象部位に位置決めした対物ユニット１２を被検体Ａに対して回転させることなく装置本体１１を分離することができる。
【００３０】
また、被検体Ａに留置されている対物ユニット１２に装置本体１１を取り付ける際には、装置本体１１側のキー溝２８に対物ユニット１２のキー部材３４が一致するように装置本体１１の位相を対物ユニット１２に合わせた状態で円筒部２６を嵌合穴３１に嵌合させ、ナット２７を回転させることにより、ナット２７に係合したネジ部３２によって装置本体１１が対物ユニット１２に対して近接する方向に移動させられる。キー溝２８にキー部材３４が挿入されているので、装置本体１１を回転させない限り、対物ユニット１２が被検体Ａに対して回転することなく装置本体１１と対物ユニット１２とを連結することができる。
【００３１】
その結果、対物ユニット１２から装置本体１１を分離して被検体Ａに留置する際、および、被検体Ａに留置された対物ユニット１２に装置本体１１を連結する際のいずれにおいても、観察対象部位に対して対物ユニット１２がずれることが防止され、時間間隔をおいて複数回の観察において、同一の観察対象部位を観察することができる。また、観察対象部位に対して対物ユニット１２のズレが防止できるので、被検体Ａにかかる負担が軽減され、被検体Ａが長期にわたり健全な状態に維持されることになる。すなわち、マウス等の実験小動物等からなる被検体Ａに対して、生きたままの観察を長期にわたり行うことができる。
【００３２】
また、本実施形態に係る光走査型観察装置１においては、装置本体１１に対物ユニット１２を連結すると、装置本体１１の円筒部２６先端に設けた突当面２９と、対物ユニット１２の嵌合穴３１の奥部に設けた突当面３３とが突き当てられた状態で連結される。すなわち、これらの突当面２９，３３が瞳投影光学系２５と対物ユニット１２とを光軸方向に位置決めする胴突き位置を構成している。瞳投影光学系２５による中間像の結像位置が、この突当面２９の位置に概略一致するように設けられているので、対物ユニット１２を装置本体１１に連結した際の位置や傾き等に生ずる誤差を最小限に抑えることができる。
【００３３】
また、本実施形態に係る光走査型観察装置１においては、着脱機構３５を構成するナット２７を装置本体１１側に回転自在に設けたので、各対物ユニット１２ごとにナット２７を設ける場合と比較すると、対物ユニット１２が複数ある場合には、部品点数を削減することができるという利点がある。また、部品点数の不都合を除けば、着脱機構３５を構成するナット２７を各対物ユニット１２ごとに回転自在に設けることにしてもよい。また、ナット２７とネジ部３２とにより締結する方式の着脱機構３５を例示したが、これに代えて、バイオネット方式等他の公知の着脱機構を採用してもよい。
【００３４】
なお、本実施形態に係る光走査型観察装置１においては、円筒部２６に設けたキー溝２８が、ナット２７によって覆われるために外部から目視し難いことが考えられる。そこで、図３に示されるように、装置本体１１の円筒部２６には、キー溝２８の位置を示すマーク３８を、外部から目視可能な位置、例えば、筐体２１の側面等に設けることが好ましい。
【００３５】
また、対物ユニット１２には、キー部材３４の位置を示すマーク３９を対物ユニット１２の先端から長手方向に沿って直線状に設けておくことが好ましい。このようにすることで、対物ユニット１２の先端が被検体Ａに部分的に挿入状態に配置されても、被検体Ａから露出する部分に配されるマーク３９によって、キー部材３４の位相を容易に確認することができる。
【００３６】
なお、対物ユニット１２と装置本体１１の両方にマーク３８，３９を設ける場合には、必ずしも対物ユニット１２のキー部材３４および装置本体１１のキー溝２８の位置にマーク３８，３９を一致させて設ける必要はない。すなわち、この場合には、装置本体１１に対物ユニット１２を固定するときに、相互に一致する位相関係に各マーク３８，３９が設けられていれば足りる。
【００３７】
この場合、図４に示されるように、例えば、図３に示される矢印ηの方向から対物ユニット１２を見て、対物ユニット１２のマーク３９が一直線に見える状態で、該マーク３９の延長上に装置本体１１のマーク３８が配されるように、装置本体１１を配置して近接させることにより、対物ユニット１２を全く回転させることなく、対物ユニット１２と装置本体１１とを連結することができる。
【００３８】
また、光走査部２４として、例えば、近接ガルバノミラーを採用する場合に、各ガルバノミラー２４ａ，２４ｂにおけるレーザ光の偏向角度を小さくすることにより、非点収差の影響を低減することができる。例えば、図４に示されるように、レーザ光の入射光軸に対してガルバノミラー２４ａの傾斜角度を４５°より小さく設定することで、該ガルバノミラー２４ａにおける偏向角度を９０°より小さくすることにより、非点収差の発生を低減し、かつ、装置本体１１の筐体２１の幅寸法を低減することができる。
【００３９】
この場合には、図４に示されるように、２つのガルバノミラー２４ａ，２４ｂによる走査方向が装置本体１１の長手方向および幅方向と一致しないη−ξ方向になる。そこで、図３に示すように、装置本体１１の筐体２１の上面に、その走査方向を示すマーク４０を設けておくことが好ましい。
【００４０】
そして、この場合に、対物ユニット１２に設ける前記マーク３９を走査方向を示すマーク４０に一致させておくことが好ましい。このようにすることで、図６（ａ）に示される実体顕微鏡装置４により撮像された第１のモニタ１０の画像Ｇ１において、対物ユニット１２に設けたマーク３９を確認することにより、同図（ｂ）に示される光走査型観察装置１により撮像された画像Ｇ２が、被検体Ａをどの方向に走査した画像であるのかを確認することができる。
【００４１】
すなわち、図６（ｂ）に示される光走査型観察装置１により撮像された画像Ｇ２は、その上下左右方向が、図４において示したη−ξ方向に一致しているが、装置本体１１の長手方向および幅方向とは一致していないため、マーク３９，４０がなければ、被検体Ａをどの方向から観察しているのかが不明となり易い。上記のように、対物ユニット１２に長手方向に沿って直線状のマーク３９を設けておくことで、実体顕微鏡装置４による画像Ｇ１と光走査型観察装置１による拡大画像Ｇ２とを対応づけて観察することができ、観察容易性を向上することができる。
【００４２】
また、対物ユニット１２の外周面に設けるマークとして、図７（ａ）〜（ｃ）に示すマーク４１を併用してもよい。
図７（ａ）に示されるマーク４１は、対物ユニット１２の先端部の外周面に長手方向に等間隔を空けて配される複数の線を周方向に沿って設けられている。このマーク４１の間隔を、所定の値に設定しておくことにより、被検体Ａから露出しているマーク４１の数を数えることによって、対物ユニット１２の被検体Ａへの挿入深さを知ることができる。
【００４３】
また、図７（ｂ）に示されるマーク４２は、上記先間の領域を交互に着色したものであり、上記と同様に挿入深さを確認することができる。
また、図７（ｃ）に示されるマーク４３は、上記先間の領域の色の濃度を順次変化させたものであり、例えば、実体顕微鏡装置４の画像Ｇ１を処理することにより、露出している部分の色の濃度から挿入深さを割り出すことが可能となる。
【００４４】
また、上記マーク４１〜４３に加えて、図８に示されるように、対物ユニット１２の先端部に反射防止処理４４を施すことが好ましい。このようにすることで、実体顕微鏡装置４等の他の観察装置による観察時に、対物ユニット１２の外面によって反射される光により、観察が妨げられることを防止することができる。反射防止処理としては、黒色塗装、つや消し処理、減反射コーティング等が挙げられる。
【００４５】
また、上記実施形態において、着脱機構３５を構成するナット２７およびネジ部３２が左ネジにより構成されていてもよい。このように構成することで、対物ユニット１２側から近接させた手により装置本体１１側のナット２７を回転させる際に、右回りによって締結され、左回りによって緩められるので、作業者が違和感なく着脱作業を行うことができるという利点がある。
【図面の簡単な説明】
【００４６】
【図１】本発明の第１実施形態に係る光走査型観察装置を備える観察システムの概略構成図である。
【図２】第１の実施形態に係る光走査型観察装置の内部構造を示す模式図である。
【図３】図２の光走査型観察装置の分解斜視図である。
【図４】図２の光走査型観察装置において、対物ユニットに装置本体を取り付ける作業手順について説明する図である。
【図５】図２の光走査型観察装置の変形例を示す平面図である。
【図６】図１の観察システムにより撮像された画像例を示す図である。
【図７】図２の光走査型観察装置の対物ユニットに表示するマークの例を示す図である。
【図８】図２の光走査型観察装置の対物ユニットに設ける反射防止処理を示す図である。
【符号の説明】
【００４７】
Ａ  被検体
１  光走査型観察装置
１１  装置本体
１２  対物ユニット
１３  光源
１４  光検出器
１８  光ファイバ
２３  コリメート光学系
２４  光走査部（光走査手段）
２４ａ，２４ｂ  ガルバノミラー（光走査手段）
２７  ナット（第１のネジ）
２９，３３  突当面
３２  ネジ部（第２のネジ）
３５  着脱機構
３６  回り止め
３８，３９  マーク
【図１】
2006038939.tif 000003
【図２】
2006038939.tif 000004
【図３】
2006038939.tif 000005
【図４】
2006038939.tif 000006
【図５】
2006038939.tif 000007
【図６】
2006038939.tif 000008
【図７】
2006038939.tif 000009
【図８】
2006038939.tif 000010